(57)【要約】【課題】導光体支持部材を用いることなく、導光体の入光面と光源とを互いに位置決めした状態で対向させることができる位置決め構造等を提供する。【解決手段】入光面を含む導光体と、前記入光面から入光し前記導光体内を導光される光を発光する光源が実装された基板と、を備え、前記入光面と前記光源とを互いに位置決めした状態で対向させる位置決め構造において、前記導光体は、溝部が形成されたフック部を含み、前記基板は、切欠き部を含み、前記導光体及び前記基板は、前記切欠き部周囲の前記基板が前記溝部に係合し、前記フック部の少なくとも一部が前記切欠き部に係合し、前記フック部が対向する前記基板の端部が前記フック部に当接し、かつ、前記入光面と前記光源とが対向した状態で配置されることを特徴とする。【選択図】  図１５
2020155388.tif 000002
【特許請求の範囲】
【請求項１】
入光面を含む導光体と、前記入光面から入光し前記導光体内を導光される光を発光する光源が実装された基板と、を備え、前記入光面と前記光源とを互いに位置決めした状態で対向させる位置決め構造において、
前記導光体は、溝部が形成されたフック部を含み、
前記基板は、切欠き部を含み、
前記導光体及び前記基板は、前記切欠き部周囲の前記基板が前記溝部に係合し、前記フック部の少なくとも一部が前記切欠き部に係合し、前記フック部が対向する前記基板の端部が前記フック部に当接し、かつ、前記入光面と前記光源とが対向した状態で配置される位置決め構造。
【請求項２】
前記フック部は、前記切欠き部周囲の前記基板が前記溝部に係合する際、前記切欠き部周囲の前記基板が当接し、当該当接した前記切欠き部周囲の前記基板を前記溝部に案内するガイド面を含む請求項１に記載の位置決め構造。
【請求項３】
前記導光体が取り付けられた導光体保持部と、
前記基板が取り付けられた基板保持部と、を備え、
前記導光体保持部と前記基板保持部を組み合わせることで、前記切欠き部周囲の前記基板が前記ガイド面に当接し、当該ガイド面に沿って案内されて前記溝部に係合し、前記フック部の少なくとも一部が前記切欠き部に係合し、前記フック部が対向する前記基板の端部が前記フック部に当接し、かつ、前記入光面と前記光源とが対向する請求項２に記載の位置決め構造。
【請求項４】
前記導光体保持部は、ランプケースであり、
前記基板保持部は、ブラケットである請求項３に記載の位置決め構造。
【請求項５】
前記導光体は、棒状導光部と板状導光部とを含み、
前記棒状導光部は、正面側に配置される前面とその反対側の背面側に配置される後面とを含む棒状の導光部であり、
前記板状導光部は、正面側に配置される前面とその反対側の背面側に配置される後面とを含む板状の導光部で、前記棒状導光部の外周面に連結された一端縁と、その反対側の他端縁と、を含み、
前記棒状導光部の後面は、前記導光体内を導光される前記光源からの光を拡散させて前記棒状導光部の前面から出射させるための複数の第１構造物を含み、
前記板状導光部の後面は、前記導光体内を導光される前記光源からの光を拡散させて前記板状導光部の前面から出射させるための複数の第２構造物を含み、
前記フック部及び前記入光面は、前記棒状導光部に設けられる請求項１から４のいずれか１項に記載の位置決め構造。
【請求項６】
前記導光体は、第１棒状導光部と第２棒状導光部と板状導光部とを含み、
前記第１棒状導光部及び第２棒状導光部は、それぞれ、正面側に配置される前面とその反対側の背面側に配置される後面とを含む棒状の導光部で、間隔をあけて並列に配置されており、
前記板状導光部は、正面側に配置される前面とその反対側の背面側に配置される後面とを含む板状の導光部で、前記第１棒状導光部の外周面に連結された一端縁と、前記第２棒状導光部の外周面に連結された他端縁と、を含み、
前記第１及び第２棒状導光部の後面は、それぞれ、前記導光体内を導光される前記光源からの光を拡散させて前記第１及び第２棒状導光部の前面から出射させるための複数の第１構造物を含み、
前記板状導光部の後面は、前記導光体内を導光される前記光源からの光を拡散させて前記板状導光部の前面から出射させるための複数の第２構造物を含み、
前記フック部は、前記板状導光部に設けられ、
前記入光面は、前記第１棒状導光部及び第２棒状導光部にそれぞれ設けられる請求項１から４のいずれか１項に記載の位置決め構造。
【請求項７】
請求項１から６のいずれか１項に記載の位置決め構造を備える車両用灯具。
【発明の詳細な説明】
【技術分野】
【０００１】
本発明は、位置決め構造及び車両用灯具に関し、特に、導光体支持部材を用いることなく、導光体の入光面と光源とを互いに位置決めした状態で対向させることができる位置決め構造及び車両用灯具に関する。
【背景技術】
【０００２】
従来、車両用灯具の分野においては、入光面を含む導光体と、前記入光面から入光し前記導光体内を導光される光を発光する光源が実装された基板と、を備えた車両用灯具が知られている（例えば、特許文献１（図１等）参照）。
【先行技術文献】
【特許文献】
【０００３】
【特許文献１】特開２０１５−９５３１０号公報
【発明の概要】
【発明が解決しようとする課題】
【０００４】
しかしながら、特許文献１に記載の車両用灯具においては、導光体の入光面と光源とを互いに位置決めした状態で対向させるため、導光体支持部材を用いなければならず、その分、部品点数が増加するという課題がある。
【０００５】
本発明は、上記事情に鑑みてなされたものであり、導光体支持部材を用いることなく、導光体の入光面と光源とを互いに位置決めした状態で対向させることができる車両用灯具を提供することを目的とする。
【課題を解決するための手段】
【０００６】
上記目的を達成するために、本発明の一つの側面は、入光面を含む導光体と、前記入光面から入光し前記導光体内を導光される光を発光する光源が実装された基板と、を備え、前記入光面と前記光源とを互いに位置決めした状態で対向させる位置決め構造において、前記導光体は、溝部が形成されたフック部を含み、前記基板は、切欠き部を含み、前記導光体及び前記基板は、前記切欠き部周囲の前記基板が前記溝部に係合し、前記フック部の少なくとも一部が前記切欠き部に係合し、前記フック部が対向する前記基板の端部が前記フック部に当接し、かつ、前記入光面と前記光源とが対向した状態で配置されることを特徴とする。
【０００７】
この側面によれば、導光体支持部材を用いることなく、導光体の入光面と光源とを互いに位置決めした状態で対向させることができる。
【０００８】
これは、導光体及び基板は、切欠き部周囲の基板が溝部に係合し、フック部の少なくとも一部が切欠き部に係合し、フック部が対向する基板の端部がフック部に当接し、かつ、入光面と光源とが対向した状態で配置されることによるものである。
【０００９】
また、上記発明において、好ましい態様は、前記フック部は、前記切欠き部周囲の前記基板が前記溝部に係合する際、前記切欠き部周囲の前記基板が当接し、当該当接した前記切欠き部周囲の前記基板を前記溝部に案内するガイド面を含むことを特徴とする。
【００１０】
また、上記発明において、好ましい態様は、前記導光体が取り付けられた導光体保持部と、前記基板が取り付けられた基板保持部と、を備え、前記導光体保持部と前記基板保持部を組み合わせることで、前記切欠き部周囲の前記基板が前記ガイド面に当接し、当該ガイド面に沿って案内されて前記溝部に係合し、前記フック部の少なくとも一部が前記切欠き部に係合し、前記フック部が対向する前記基板の端部が前記フック部に当接し、かつ、前記入光面と前記光源とが対向することを特徴とする。
【００１１】
また、上記発明において、好ましい態様は、前記導光体保持部は、ランプケースであり、前記基板保持部は、ブラケットであることを特徴とする。
【００１２】
また、上記発明において、好ましい態様は、前記導光体は、棒状導光部と板状導光部とを含み、前記棒状導光部は、正面側に配置される前面とその反対側の背面側に配置される後面とを含む棒状の導光部であり、前記板状導光部は、正面側に配置される前面とその反対側の背面側に配置される後面とを含む板状の導光部で、前記棒状導光部の外周面に連結された一端縁と、その反対側の他端縁と、を含み、前記棒状導光部の後面は、前記導光体内を導光される前記光源からの光を拡散させて前記棒状導光部の前面から出射させるための複数の第１構造物を含み、前記板状導光部の後面は、前記導光体内を導光される前記光源からの光を拡散させて前記板状導光部の前面から出射させるための複数の第２構造物を含み、前記フック部及び前記入光面は、前記棒状導光部に設けられることを特徴とする。
【００１３】
また、上記発明において、好ましい態様は、前記導光体は、第１棒状導光部と第２棒状導光部と板状導光部とを含み、前記第１棒状導光部及び第２棒状導光部は、それぞれ、正面側に配置される前面とその反対側の背面側に配置される後面とを含む棒状の導光部で、間隔をあけて並列に配置されており、前記板状導光部は、正面側に配置される前面とその反対側の背面側に配置される後面とを含む板状の導光部で、前記第１棒状導光部の外周面に連結された一端縁と、前記第２棒状導光部の外周面に連結された他端縁と、を含み、前記第１及び第２棒状導光部の後面は、それぞれ、前記導光体内を導光される前記光源からの光を拡散させて前記第１及び第２棒状導光部の前面から出射させるための複数の第１構造物を含み、前記板状導光部の後面は、前記導光体内を導光される前記光源からの光を拡散させて前記板状導光部の前面から出射させるための複数の第２構造物を含み、前記フック部は、前記板状導光部に設けられ、前記入光面は、前記第１棒状導光部及び第２棒状導光部にそれぞれ設けられることを特徴とする。
【００１４】
また、上記目的を達成するために、本発明の別の一つの側面は、上記いずれかの位置決め構造を備える車両用灯具であることを特徴とする。
【図面の簡単な説明】
【００１５】
【図１】車両用灯具１０の斜視図である。
【図２】車両用灯具１０の正面図である。
【図３】図２のＡ−Ａ断面図である。
【図４】（ａ）図２のＢ−Ｂ断面図、（ｂ）図２のＣ−Ｃ断面図である。
【図５】図２のＤ−Ｄ断面図である（第２導光体４０Ｂ、第１光源モジュール５０Ａ、インナーレンズ６０省略）。
【図６】車両用灯具１０の分解斜視図である。
【図７】（ａ）第１導光体４０Ａの正面図、（ｂ）背面図である。
【図８】棒状導光部４２の変形例の断面図である。
【図９】第１空間Ｓ１ａに第１導光体４０Ａが配置された状態のリフレクタ３０の斜視図である。
【図１０】第２導光体４０Ｂの正面図である。
【図１１】第１光源モジュール５０Ａからの光ＲａｙＡの光路図である。
【図１２】（ａ）図５中、円で囲った範囲のＸＹ平面による断面図、（ｂ）図５中、円で囲った範囲のＹＺ平面による断面図である。
【図１３】車両用灯具１０Ａの分解斜視図である。
【図１４】図１３中の矢印ＡＲ１方向から見た第１基板５２Ａを表す。
【図１５】第１基板５２Ａ及び第２基板５２Ｂが取り付けられた状態のブラケット８０の斜視図である。
【図１６】図１５に示すブラケット８０の正面図である。
【図１７】図１６に示すブラケット８０のＧ−Ｇ断面図である。
【図１８】図１６に示すブラケット８０のＨ−Ｈ段面図である。
【図１９】（ａ）図７（ａ）に示す第１導光体４０ＡのＥ−Ｅ断面図、（ｂ）図１９（ａ）中の一点鎖線で描いた円内の拡大図である。
【図２０】図１９（ｂ）のＰ−Ｐ断面図である。
【図２１】図７（ｂ）中の一点鎖線で描いた円内の拡大斜視図である。
【図２２】第１導光体４０Ａが取り付けられたリフレクタ３０及び第１基板５２Ａが取り付けられたブラケット８０の横断面図（ＸＹ平面による断面図）である。
【図２３】図２２から第１導光体４０Ａの第１フック部４４及び第１基板５２Ａを抜き出して描いた拡大図である。
【図２４】図２２のＫ−Ｋ断面図である。
【図２５】図１３中の矢印ＡＲ３方向から見た第２基板５２Ｂを表す。
【図２６】図１６に示すブラケット８０のＭ−Ｍ断面図である。
【図２７】（ａ）図１０に示す第２導光体４０ＢのＬ−Ｌ断面図、（ｂ）図２７（ａ）中の一点鎖線で描いた円内の拡大図である。
【図２８】図２７（ｂ）のＱ−Ｑ断面図である。
【図２９】第２導光体４０Ｂが取り付けられたリフレクタ３０及び第２基板５２Ｂが取り付けられたブラケット８０の縦断面図（ＸＺ平面による断面図）である。
【図３０】図２９から第２導光体４０Ｂの第２フック部４７及び第２基板５２Ｂを抜き出して描いた拡大図である。
【図３１】図２９のＮ−Ｎ断面図である。
【図３２】第２導光体４０Ｂが取り付けられたリフレクタ３０と第２基板５２Ｂが取り付けられたブラケット８０と組み合わせた状態の縦断面図である。
【発明を実施するための形態】
【００１６】
以下、本発明の第１実施形態である車両用灯具１０について添付図面を参照しながら説明する。各図において対応する構成要素には同一の符号が付され、重複する説明は省略される。
【００１７】
図１は、車両用灯具１０の斜視図である。
【００１８】
図１に示す車両用灯具１０は、テールランプとして機能する車両用信号灯具である。車両用灯具１０は、自動車等の車両（図示せず）の後端部の左右両側にそれぞれ搭載される。左右両側に搭載される車両用灯具１０は左右対称の構成であるため、以下、代表して、車両の後端部の左側（車両前方に向かって左側）に搭載される車両用灯具１０について説明する。以下、説明の都合上、「前方」とは車両後方の意味で用い、「後方」とは車両前方の意味で用いる。なお、以下、説明の便宜のため、ＸＹＺ軸を定義する。Ｘ軸は車両前後方向に延びており、Ｙ軸は車幅方向に延びており、Ｚ軸は鉛直方向に延びている。
【００１９】
図２は車両用灯具１０の正面図、図３は図２のＡ−Ａ断面図、図４（ａ）図２のＢ−Ｂ断面図、図４（ｂ）は図２のＣ−Ｃ断面図、図５は図２のＤ−Ｄ断面図（第２導光体４０Ｂ、第１光源モジュール５０Ａ、インナーレンズ６０省略）、図６は車両用灯具１０の分解斜視図である。
【００２０】
図２〜図６に示すように、車両用灯具１０は、リフレクタ３０、第１導光体４０Ａ、第２導光体４０Ｂ、第１光源モジュール５０Ａ、第２光源モジュール５０Ｂ、インナーレンズ６０等を備える。車両用灯具１０は、アウターレンズ（図示せず）とハウジング７０（図６参照）とによって構成される灯室内に配置され、ハウジングに固定される。
【００２１】
図２に示すように、車両用灯具１０は、第１〜第３棒状導光部４２Ａ〜４２Ｃを備える。第１〜第３棒状導光部４２Ａ〜４２Ｃはそれぞれ棒状発光領域を形成する。第１〜第３棒状導光部４２Ａ〜４２Ｃはそれぞれ同様の構成である。以下、第１〜第３棒状導光部４２Ａ〜４２Ｃを特に区別しない場合、棒状導光部４２と記載する。
【００２２】
また、車両用灯具１０は、第１〜第５板状導光部４１Ａ〜４１Ｅを備える。第１〜第５板状導光部４１Ａ〜４１Ｅはそれぞれ面状発光領域を形成する。第１〜第５板状導光部４１Ａ〜４１Ｅはそれぞれ同様の構成である。以下、第１〜第５板状導光部４１Ａ〜４１Ｅを特に区別しない場合、板状導光部４１と記載する。
【００２３】
棒状導光部４２（直径）と板状導光部４１（厚さ）との関係は、棒状導光部４２（直径:例えば８ｍｍ）＞板状導光部４２（厚さ:例えば２ｍｍ）である。
【００２４】
図２、図６に示すように、リフレクタ３０は、正面側に曲線部３２ａ１を含むＴ字状の開口端部３２ａを有するランプケースである。リフレクタ３０の材料は、例えば、アクリルやポリカーボネイト等の合成樹脂である。
【００２５】
具体的には、リフレクタ３０は、背面側に配置されたＴ字状の底部３１と、当該Ｔ字状の底部３１の外周縁から前方に向かって延びて正面側に開口端部３２ａを有する壁部３２（図３、図４（ａ）参照）と、底部３１と壁部３２とで取り囲まれて正面側がＴ字状に開口したＴ字状空間Ｓ１と、を含む。
【００２６】
図２に示すように、Ｔ字状空間Ｓ１は、正面視で左に略９０度回転したＴ字状の空間である。Ｔ字状空間Ｓ１は、Ｙ軸方向（本発明の第１方向の一例）に延びた第１空間Ｓ１ａとＺ軸方向（本発明の第２方向の一例）に延びた第２空間Ｓ１ｂとを含む。
【００２７】
リフレクタ３０の開口端部３２ａは、正面視で左に略９０度回転したＴ字状の開口端部で、正面視でＴ字状空間Ｓ１を取り囲んでいる。
【００２８】
図４に示すように、リフレクタ３０は、当該リフレクタ３０の開口端部３２ａから当該リフレクタ３０（壁部３２）との間に空間Ｓ２を保った状態で後方に向かって延びた延長部３３を備える。空間Ｓ２には、第１光源モジュール５０Ａが配置される。
【００２９】
リフレクタ３０の延長部３３は、空間Ｓ２に配置された第１光源モジュール５０Ａが正面側から視認されないように、当該空間Ｓ２に配置された第１光源モジュール５０Ａを覆う。
【００３０】
図９に示すように、リフレクタ３０の壁部３２（内側面）には、複数のローレット３２ｂが設けられる。ローレット３２ｂは、例えば、円柱軸がＸ軸方向に延びたシリンドリカル面（又はシリンドリカル状の面）である。
【００３１】
リフレクタ３０の内側面（Ｔ字状の底部３１及び壁部３２）には、アルミ蒸着を施すことで、反射面が形成される。
【００３２】
以下、Ｔ字状の底部３１に形成された反射面のことを底部反射面３１ａといい、壁部３２（複数のローレット３２ｂ）に形成された反射面のことをローレット反射面３２ｂ１という。
【００３３】
図３、図４に示すように、底部反射面３１ａは、第１導光体４０Ａの背面側に当該第１導光体４０Ａの後面が対向した状態で配置される。また、ローレット反射面３２ｂ１は、第１導光体４０Ａの延長終端部４３の第１面４３ａが空間Ｓ４を挟んで対向した状態で配置される。
【００３４】
底部反射面３１ａは、例えば、第１導光体４０Ａの裏面及び第２導光体４０Ｂの裏面から出射する光を反射する。また、ローレット反射面３２ｂ１は、例えば、第１導光体４０Ａの延長終端部４３から出射する光を反射（拡散）する。延長終端部４３については後述する。
【００３５】
図７（ａ）は第１導光体４０Ａの正面図、図７（ｂ）は背面図である。
【００３６】
図７に示すように、第１導光体４０Ａは、棒状導光部４２（第１棒状導光部４２Ａ、第２棒状導光部４２Ｂ）、板状導光部４１（第１板状導光部４１Ａ、第２板状導光部４１Ｂ、第３板状導光部４１Ｃ）を含む。第１導光体４０Ａの材料は、例えば、アクリルやポリカーボネイト等の透明樹脂である。
【００３７】
第１棒状導光部４２Ａ、第２棒状導光部４２Ｂは、間隔をあけて並列に配置されている。
【００３８】
棒状導光部４２（第１及び第２棒状導光部４２Ａ、４２Ｂ）は、正面側に配置される前面４２ａ（図７（ａ）参照）とその反対側の背面側に配置される後面４２ｂ（図７（ｂ）参照）とを含み、図７（ａ）に示すように、一端部４２ｃ（以下、左端部４２ｃともいう）から他端部４２ｄ（以下、右端部４２ｄともいう）に向かって概ねＹ軸方向に延びた長尺の棒状導光部である。
【００３９】
図３に示すように、棒状導光部４２のＹ軸方向に直交する平面（図３中ＸＺ平面）による断面形状は、前面４２ａと後面４２ｂ（一対の側面４２ｂ１及び最後面４２ｂ２）とで囲まれた概ね銀杏形状に構成されている。具体的には、次のように構成されている。
【００４０】
棒状導光部４２の前面４２ａは、当該棒状導光部４２の長手方向に直交する平面（図３中ＸＺ平面）による断面形状が正面側（図３中右側）に向かって凸の円弧形状となる曲面、例えば、円柱軸がＹ軸方向に延びたシリンドリカル面である。
【００４１】
棒状導光部４２の前面４２ａには、当該前面４２ａから出射する光を制御してテールランプの配光規格を満たすように、レンズカットが施される。なお、レンズカットを施さなくてもテールランプの配光規格を満たす場合、レンズカットは省略してもよい。
【００４２】
棒状導光部４２の後面４２ｂは、当該棒状導光部４２の長手方向に直交する平面（図３中ＸＺ平面）による断面形状が棒状導光部４２内部に向かって凸で背面側（図３中左側）に向かうに従って間隔が狭くなるように配置された一対の円弧形状となる一対の側面４２ｂ１と、当該棒状導光部４２の長手方向に直交する平面による断面形状が一対の円弧形状の端部（図３中左端部）同士を連結する直線形状となるように一対の側面４２ｂ１同士を連結する最後面４２ｂ２と、を含む。
【００４３】
図７（ｂ）に示すように、棒状導光部４２の後面４２ｂ（最後面４２ｂ２）は、第１導光体４０Ａ内を導光される第１光源モジュール５０Ａからの光を拡散させて棒状導光部４２の前面４２ａから出射させるための複数の第１構造物ＬＣ１を含む。第１構造物ＬＣ１は、例えば、Ｖ溝等のレンズカットである。
【００４４】
なお、棒状導光部４２の左端面４２ｃ１（入光面）から棒状導光部４２内に入光した第１光源モジュール５０Ａからの光ＲａｙＡ（図４（ｂ）参照）は棒状導光部４２の左端面４２ｃ１（入光面）から遠くなるに従って減少するが、例えば、第１光源モジュール５０Ａから遠くなるに従って第１構造物ＬＣ１の数（密度）を増やすことで、棒状導光部４２を均一（又は略均一）に発光させることができる。
【００４５】
図７（ａ）に示すように、棒状導光部４２の左端部４２ｃは、板状導光部４１の左端部から突出している。棒状導光部４２の左端面４２ｃ１（入光面）は、例えば、ＸＺ平面に対して平行な平面である。棒状導光部４２の右端部４２ｄは、板状導光部４１の右端部まで延びている。
【００４６】
図８は、棒状導光部４２の変形例の断面図である。
【００４７】
断面形状が概ね銀杏形状の棒状導光部４２に代えて、図８に示すように、断面形状が円形状の一般的な棒状導光部を用いてもよいが、断面形状が概ね銀杏形状の棒状導光部４２を用いることで、断面形状が円形状の一般的な棒状導光部を用いる場合と比べ、棒状導光部４２をより明るく発光させることができる。
【００４８】
板状導光部４１は、正面側に配置される前面４１ａ（図７（ａ）参照）とその反対側の背面側に配置される後面４１ｂ（図７（ｂ）参照）とを含む板状の導光部である。図３に示すように、板状導光部４１の前面４１ａ及び後面４１ｂは、それぞれ、平面又は平面形状の面で、互いに平行に配置されている。
【００４９】
板状導光部４１の前面４１ａには、当該前面４１ａから出射する光を制御してテールランプの配光規格を満たすように、レンズカットが施される。なお、レンズカットを施さなくてもテールランプの配光規格を満たす場合、レンズカットは省略してもよい。
【００５０】
図７に示すように、第１板状導光部４１Ａは、第１棒状導光部４２Ａの外周面に連結された一端縁４１Ａｃと、その反対側の他端縁４１Ａｄ（外周縁）と、を含む。
【００５１】
図２に示すように、第１板状導光部４１Ａの他端縁４１Ａｄ（少なくとも一部）は、正面視でリフレクタ３０の開口端部３２ａとの間に均一（又は略均一）な隙間（例えば、図２中の符号Ｌ１が示す隙間参照）を保った状態でリフレクタ３０の開口端部３２ａに沿って延びている。
【００５２】
図７に示すように、第２板状導光部４１Ｂは、第１棒状導光部４２Ａの外周面に連結された一端縁４１Ｂｃと、第２棒状導光部４２Ｂの外周面に連結された他端縁４１Ｂｄと、を含む。
【００５３】
第３板状導光部４１Ｃは、第２棒状導光部４２Ｂの外周面に連結された一端縁４１Ｃｃと、その反対側の他端縁４１Ｃｄ（外周縁）と、を含む。
【００５４】
図２に示すように、第３板状導光部４１Ｃの他端縁４１Ｃｄ（少なくとも一部）は、正面視でリフレクタ３０の開口端部３２ａとの間に均一（又は略均一）な隙間（例えば、図２中の符号Ｌ２が示す隙間参照）を保った状態でリフレクタ３０の開口端部３２ａに沿って延びている。
【００５５】
図７（ｂ）に示すように、板状導光部４１の後面４１ｂは、第１導光体４０Ａ内を導光される第１光源モジュール５０Ａからの光を拡散させて板状導光部４１の前面４１ａから出射させるための複数の第２構造物ＬＣ２を含む。第２構造物ＬＣ２は、例えば、Ｖ溝等のレンズカットである。
【００５６】
なお、棒状導光部４２の左端面４２ｃ１（入光面）から棒状導光部４２内に入光した第１光源モジュール５０Ａからの光ＲａｙＡ（図４（ｂ）参照）は棒状導光部４２の左端面４２ｃ１（入光面）から遠くなるに従って減少するが、例えば、第１光源モジュール５０Ａから遠くなるに従って第２構造物ＬＣ２の数（密度）を増やすことで、板状導光部４１を均一（又は略均一）に発光させることができる。
【００５７】
図７（ａ）に示すように、第１導光体４０Ａの板状導光部４１は、第１導光体４０Ａをリフレクタ３０に固定するために、リフレクタ３０に形成された開口Ｈ１周囲が係合する第１係合部４４ａ（例えば、溝部。図４（ａ）参照）を備える。第１係合部４４ａは、第２板状導光部４１Ｂの左端部から左側に延びた第１固定部４４（以下、第１フック部４４ともいう）に設けられる。
【００５８】
また、図５に示すように、第１導光体４０Ａの板状導光部４１は、第１導光体４０Ａをリフレクタ３０に固定するために、リフレクタ３０に設けられた爪部３４（図５、図６参照）が係合する第２係合部４５ａ（例えば、開口部）を備える。第２係合部４５ａは、板状導光部４１の右端部から後方に向かって延びた第２固定部４５（図７（ｂ）参照）に設けられる。
【００５９】
本発明者らが検討したところ、第２固定部４５を設けた場合、第１導光体４０Ａの右端部（例えば、棒状導光部４２（第１及び第２棒状導光部４２Ａ、４２Ｂ）の右端部４２ｄ）に達した第１光源モジュール５０Ａからの光により当該第１導光体４０Ａの右端部（例えば、第２固定部４５）で点光りが発生することが判明した。また、第１導光体４０Ａ内を導光される第１光源モジュール５０Ａからの光が当該板状導光部４１の右端部から直接出射してリフレクタ３０の壁部３２（ローレット反射面３２ｂ１）で反射されることに起因し、点光りが発生する場合もある。
【００６０】
この点光りを抑制するため、図４（ｂ）に示すように、第１導光体４０Ａ（板状導光部４１）は、当該第１導光体４０Ａ内を導光され当該第１導光体４０Ａの右端部に達した第１光源モジュール５０Ａからの光ＲａｙＡを拡散光として出射する延長終端部４３を含む。延長終端部４３は、本発明の終端部の一例である。
【００６１】
延長終端部４３は、板状導光部４１の右端部４２ｄから前方に向かって延びた板状の導光部で、リフレクタ３０の壁部３２（ローレット反射面３２ｂ１）が対向する第１面４３ａとその反対側の第２面４３ｂとを含む。第１面４３ａは、延長終端部４３内を導光される第１光源モジュール５０Ａからの光ＲａｙＡを拡散させて第２面４３ｂから出射させるための複数の第３構造物ＬＣ３を含む（図１２（ａ）参照）。第３構造物ＬＣ３は、例えば、Ｖ溝等のレンズカットである。
【００６２】
延長終端部４３は、板状導光部４１の右端部４２ｄに達した第１光源モジュール５０Ａからの光が全反射されて当該延長終端部４３内に入光するように、板状導光部４１に対して角度θ（図４（ａ）参照）傾斜した方向に延びている。
【００６３】
上記構成の第１導光体４０Ａは、第１固定部４４及び第２固定部４５をリフレクタ３０に固定することで、リフレクタ３０の第１空間Ｓ１ａに配置される。
【００６４】
具体的には、第１導光体４０Ａは、図４（ａ）に示すように、第１固定部４４に設けられた第１係合部４４ａ（例えば、溝部）にリフレクタ３０に形成された開口Ｈ１周囲を係合させ、かつ、図５に示すように、第２固定部４５に設けられた第２係合部４５ａ（例えば、開口部）にリフレクタ３０に設けられた爪部３４を係合させる。
【００６５】
これにより、図２に示すように、第１導光体４０Ａは、第１導光体４０Ａの棒状導光部４２が延びている方向がＹ軸方向に一致した状態で、リフレクタ３０の第１空間Ｓ１ａに配置される。
【００６６】
その際、図４（ａ）に示すように、第１導光体４０Ａの後面から後方に向かって延びたリブ４６（図４（ａ）中、２箇所を例示）がリフレクタ３０の底部３１に突き当たるため、第１導光体４０Ａの後面は、空間Ｓ３を挟んだ状態でリフレクタ３０の底部反射面３１ａと対向する。また、延長終端部４３も、空間Ｓ４を挟んだ状態でリフレクタ３０のローレット反射面３２ｂ１と対向する。図９は、第１空間Ｓ１ａに第１導光体４０Ａが配置された状態のリフレクタ３０の斜視図である。
【００６７】
図６に示すように、第１光源モジュール５０Ａは、第１光源５１ａと、第２光源５１ｂと、第１及び第２光源５１ａ、５１ｂが実装された第１基板５２Ａと、を備える。第２光源モジュール５０Ｂは、第３光源５１ｃと、第３光源５１ｃが実装された第２基板５２Ｂと、を備える。
【００６８】
第１〜第３光源５１ａ〜５１ｃはそれぞれ同様の構成である。以下、第１〜第３光源５１ａ〜５１ｃを特に区別しない場合、光源５１と記載する。
【００６９】
光源５１は、例えば、赤色光を発光するＬＥＤ等の半導体発光素子である。
【００７０】
図４（ａ）に示すように、第１光源モジュール５０Ａは、第１導光体４０Ａ（第１固定部４４）に固定される。
【００７１】
具体的には、第１基板５２Ａは、当該第１基板５２Ａに形成された貫通穴５３Ａに第１導光体４０Ａの第１固定部４４を挿入（例えば、嵌合）し、当該第１基板５２Ａに形成された貫通穴５３Ａの周囲を第１固定部４４に形成された溝部４４ｂに係合させる。
【００７２】
これにより、図４（ｂ）に示すように、第１光源モジュール５０Ａは、第１基板５２Ａに実装された光源５１が第１導光体４０Ａの棒状導光部４２の左端部４２ｃ（左端面４２ｃ１）に対向した状態で、第１導光体４０Ａ（第１固定部４４）に固定される。
【００７３】
図１０は、第２導光体４０Ｂの正面図である。
【００７４】
図１０に示すように、第２導光体４０Ｂは、棒状導光部４２（第３棒状導光部４２Ｃ）、板状導光部４１（第４板状導光部４１Ｄ、第５板状導光部４１Ｅ）を含む。第２導光体４０Ｂの材料は、例えば、アクリルやポリカーボネイト等の透明樹脂である。
【００７５】
棒状導光部４２（第３棒状導光部４２Ｃ）は、正面側に配置される前面４２ａ（図４、図１０参照）とその反対側の背面側に配置される後面４２ｂ（図４参照）とを含み、一端部４２ｃ（以下、上端部４２ｃともいう）から他端部４２ｄ（以下、下端部４２ｄともいう）に向かって概ねＺ軸方向に延びた長尺の棒状導光部である。棒状導光部の下端部４２ｄは、板状導光部４１の下端部まで延びている。
【００７６】
第２導光体４０Ｂ（第３棒状導光部４２Ｃ）の下端部（終端部）には、丸みがつけられている。例えば、第２導光体４０Ｂ（第３棒状導光部４２Ｃ）の下端面４２ｄ１は、凸円弧状（例えば、下方に向かって凸の凸面）である。これにより、光の直進性が抑制され、拡散効果が向上する。その結果、点光り（例えば、第２導光体４０Ｂ内を導光される第２光源モジュール５０Ｂからの光が第２導光体４０Ｂの下端部から直接出射してリフレクタ３０の壁部３２（ローレット反射面３２ｂ１）で反射されることに起因する点光り）が低減される。なお、点光りを抑制するため、第１導光体４０Ａと同様、第２導光体４０Ｂ（第３棒状導光部４２Ｃ）の下端部に延長終端部４３を設けてもよい。
【００７７】
図１０に示すように、第４板状導光部４１Ｄは、第３棒状導光部４２Ｃの外周面に連結された一端縁４１Ｄｃと、その反対側の他端縁４１Ｄｄ（外周縁）と、を含む。
【００７８】
図２に示すように、第４板状導光部４１Ｄの他端縁４１Ｄｄ（少なくとも一部）は、正面視でリフレクタ３０の開口端部３２ａとの間に均一（又は略均一）な隙間（例えば、図２中の符号Ｌ３が示す隙間参照）を保った状態でリフレクタ３０の開口端部３２ａに沿って延びている。
【００７９】
図１０に示すように、第５板状導光部４１Ｅは、第３棒状導光部４２Ｃの外周面に連結された一端縁４１Ｅｃと、その反対側の他端縁４１Ｅｄ（外周縁）と、を含む。
【００８０】
図２に示すように、第５板状導光部４１Ｅの他端縁４１Ｅｄ（少なくとも一部）は、正面視でリフレクタ３０の開口端部３２ａとの間に均一（又は略均一）な隙間（例えば、図２中の符号Ｌ４、Ｌ５が示す隙間参照）を保った状態でリフレクタ３０の開口端部３２ａに沿って延びている。
【００８１】
図１０に示すように、第２導光体４０Ｂの板状導光部４１は、第１導光体４０Ａをリフレクタ３０に固定するために、板状導光部４１の上端部に設けられた第３固定部４７（以下、第２フック部４７もいう）と、板状導光部４１の下端部に設けられた第４固定部（図示せず）と、を含む。
【００８２】
上記構成の第２導光体４０Ｂは、第３固定部４７及び第４固定部をリフレクタ３０に固定することで、図２に示すように、第２導光体４０Ｂの棒状導光部４２が延びている方向がＺ軸方向に一致した状態で、リフレクタ３０の第２空間Ｓ１ｂに配置される。
【００８３】
その際、図４（ａ）に示すように、第２導光体４０Ｂの後面は、第１導光体４０Ａを挟んだ状態でリフレクタ３０の底部反射面３１ａと対向する。
【００８４】
第２光源モジュール５０Ｂは、第２導光体４０Ｂ（第３固定部４７）に固定される。
【００８５】
具体的には、図示しないが、第２光源モジュール５０Ｂは、第１光源モジュール５０Ａと同様、第２基板５２Ｂに実装された光源５１が第２導光体４０Ｂの棒状導光部４２の上端部４２ｃ（上端面４２ｃ１）に対向した状態で、第２導光体４０Ｂ（第３固定部４７）に固定される。
【００８６】
図４に示すように、上記のように第１及び第２導光体４０Ａ、４０Ｂが固定されたリフレクタ３０には、インナーレンズ６０が溶着される。
【００８７】
インナーレンズ６０は、外形がリフレクタ３０のＴ字状の開口端部３２ａと同一形状のレンズ本体６１（図６参照）と、その裏面の外周部全周に設けられた脚部６２（図４（ａ）参照）と、を含む。
【００８８】
図４（ａ）に示すように、インナーレンズ６０は、脚部６２とリフレクタ３０の開口端部３２ａとを突き合わせ、全周に渡って溶着することで、リフレクタ３０との間に灯室（Ｔ字状空間Ｓ１）を構成する。
【００８９】
上記構成の車両用灯具１０においては、第１光源モジュール５０Ａ及び第２光源モジュール５０Ｂそれぞれの光源５１を点灯することでテールランプが実現される。
【００９０】
すなわち、第１光源モジュール５０Ａの光源５１を点灯すると、図４（ｂ）に示すように、第１光源モジュール５０Ａの光源５１からの光ＲａｙＡは、第１導光体４０Ａの棒状導光部４２の左端面４２ｃ１（入光面）から棒状導光部４２に入光し、第１導光体４０Ａ内で内面反射（全反射）を繰り返しつつ第１導光体４０Ａの左端部から右端部に向けて第１導光体４０Ａ内を導光され、図１１に示すように、一部が第１構造物ＬＣ１で内面反射（拡散反射）されて棒状導光部４２の前面４２ａから出射し（図１１中の符号ＲａｙＡ１が表す光参照）、他の一部が第２構造物ＬＣ２で内面反射（拡散反射）されて板状導光部４１の前面４１ａから出射する（図１１中の符号ＲａｙＡ２が表す光参照）。図１１は、第１光源モジュール５０Ａからの光ＲａｙＡの光路図である。
【００９１】
図１２（ａ）は図５中、円で囲った範囲のＸＹ平面による断面図、図１２（ｂ）は図５中、円で囲った範囲のＹＺ平面による断面図である。図１２に示すように、第１導光体４０Ａ内を導光され、板状導光部４１の右端部に達した第１光源モジュール５０Ａからの光ＲａｙＡは、延長終端部４３に入光し、延長終端部４３内で内面反射（全反射）を繰り返しつつ延長終端部４３の先端部に向けて延長終端部４３内を導光される。そして、一部が第３構造物ＬＣ３で内面反射されて延長終端部４３の第２面４３ｂから出射し、他の一部が第１面４３ａから出射し、さらに、リフレクタ３０の壁部３２（ローレット反射面３２ｂ１）で反射（拡散反射）され、延長終端部４３を透過する。
【００９２】
このように、板状導光部４１の右端部４２ｄに達した第１光源モジュール５０Ａからの光ＲａｙＡが延長終端部４３（及びローレット反射面３２ｂ１）によって拡散されるため、第１導光体４０Ａの他端部（例えば、第２固定部４５）で発生する点光りが抑制される。
【００９３】
また、第２光源モジュール５０Ｂの光源５１を点灯すると、図示しないが、第２光源モジュール５０Ｂの光源５１からの光は、第２導光体４０Ｂの棒状導光部４２の上端面４２ｃ１（入光面）から棒状導光部４２に入光し、第２導光体４０Ｂ内で内面反射（全反射）を繰り返しつつ第２導光体４０Ｂの上端部から下端部に向けて第２導光体４０Ｂ内を導光され、一部が第１構造物ＬＣ１で内面反射（拡散反射）されて棒状導光部４２の前面４２ａから出射し、他の一部が第２構造物ＬＣ２で内面反射（拡散反射）されて板状導光部４１の前面４１ａから出射する。
【００９４】
以上のように、第１導光体４０Ａの棒状導光部４２の前面４２ａ及び板状導光部４１の前面４１ａそれぞれから出射する第１光源モジュール５０Ａからの光、並びに、第２導光体４０Ｂの棒状導光部４２の前面４２ａ及び板状導光部４１の前面４１ａそれぞれから出射する第２光源モジュール５０Ｂからの光によりテールランプ用配光パターンが形成される。
【００９５】
また、上記のように第１光源モジュール５０Ａからの光が第１導光体４０Ａの棒状導光部４２の前面４２ａから出射し、かつ、第２光源モジュール５０Ｂからの光が第２導光体４０Ｂの棒状導光部４２の前面４２ａから出射することで、棒状導光部４２（第１〜第３板状導光部４２Ａ〜４２Ｃ）が均一又は略均一に発光（線発光）する。すなわち、棒状発光領域が形成される。また、板状導光部４１の右端部４２ｄに達した第１光源モジュール５０Ａからの光ＲａｙＡが延長終端部４３から出射することで、延長終端部４３が均一又は略均一に発光（面発光）する。
【００９６】
また、上記のように第１光源モジュール５０Ａからの光が第１導光体４０Ａの板状導光部４１の前面４１ａから出射し、かつ、第２光源モジュール５０Ｂからの光が第２導光体４０Ｂの板状導光部４１の前面４１ａから出射することで、板状導光部４１（第１〜第５板状導光部４１Ａ〜４１Ｅ）が均一又は略均一に発光（面発光）する。すなわち、板状発光領域が形成される。
【００９７】
棒状導光部４２（棒状発光領域）は、板状導光部４１（板状発光領域）より相対的に明るく発光する。これは、光源５１の光軸と棒状導光部４２の延びている方向とが概ね一致しているため、棒状導光部４２内においては相対的に強度が強い光（例えば、半値角内の光）が導光されるのに対して、板状導光部４１内においては相対的に強度が弱い光が導光されることによるものである。
【００９８】
このため、板状発光領域（面発光）の中に棒状発光領域（線発光）が浮かび上がる極めて意匠性の高い発光見栄えを実現することができる。
【００９９】
以上説明したように、本実施形態によれば、第１導光体４０Ａの他端部（例えば、第２固定部４５）で発生する点光りを抑制することができる車両用灯具１０を提供することができる。
【０１００】
これは、点光りの原因となる光、すなわち、第１導光体４０Ａの他端部に達した第１光源モジュール５０Ａからの光が延長終端部４３によって拡散されることによるものである。
【０１０１】
また、本実施形態によれば、面発光している延長終端部４３の背後で、延長終端部４３から後方に漏れ出る光を反射することで発光するローレット反射面３２ｂ１が視認される、奥行き感のある立体的な発光見栄えを実現することができる。
【０１０２】
また、本実施形態によれば、第１及び第２導光体４０Ａ、４０Ｂの外周縁とリフレクタ３０（ランプケース）の開口端部３２ａとの間の隙間（図２中の符号Ｌ１〜Ｌ５が示す隙間参照）が不均一となるのを抑制し、かつ、棒状導光部４２及び板状導光部４１それぞれを均一（又は略均一）に発光させることができる車両用灯具１０を提供することができる
。
【０１０３】
これは、図２に示すように、第１及び第２導光体４０Ａ、４０Ｂの外周縁が棒状導光部４２ではなく板状導光部４１の他端縁４１Ａｄ〜４１Ｅｄであること、そして、当該板状導光部４１の他端縁４１Ａｄ〜４１Ｅｄがリフレクタ３０の開口端部３２ａに沿って延びていること、によるものである。
【０１０４】
また、本実施形態によれば、断面形状が概ね銀杏形状の棒状導光部４２を用いているため、断面形状が円形状（図８参照）の一般的な棒状導光部を用いる場合と比べ、棒状導光部４２をより明るく発光させることができる。
【０１０５】
また、本実施形態によれば、面発光（板状導光部４１）及び線発光（棒状導光部４２）している第１及び第２導光体４０Ａ、４０Ｂの背後で、第１及び第２導光体４０Ａ、４０Ｂから後方に漏れ出る光を反射することで発光する底部反射面３１ａが視認される、奥行き感のある立体的な発光見栄えを実現することができる。
【０１０６】
また、本実施形態によれば、第１導光体４０Ａと第２導光体４０Ｂとが重なった箇所が相対的に明るい新規発光見栄えを実現することができる。例えば、図２に示すように、正面視で、第１導光体４０Ａと第２導光体４０Ｂとが重なっている場合、棒状導光部４２同士が重なった箇所（図２中符号Ｃ１、Ｃ２が示す箇所参照）が最も明るく、棒状導光部４２と板状導光部４１とが重なった箇所（図２中符号Ｃ３〜Ｃ６が示す箇所参照）、板状導光部４１同士が重なった箇所（図２中符号Ｃ７〜Ｃ９が示す箇所参照）符号Ｃ１〜Ｃ９以外の箇所がこの順に暗くなる、つまり、明るさがグラデーション状に変化する、奥行き感のある立体的な新規発光見栄えを実現することができる。
【０１０７】
また、本実施形態によれば、光源５１が実装された基板５２Ａ、５２Ｂを導光体４０Ａ、４０Ｂ自体に固定することができるため（図４参照）、光源５１を導光体４０Ａ、４０Ｂ以外のハウジング等に固定する場合と比べ、光源５１の棒状導光部４２の一端面４２ｃ１に対する位置決めを精度良く行うことができる。
【０１０８】
また、本実施形態によれば、第１光源モジュール５０Ａがリフレクタ３０の延長部３３で覆われる形となるため（図４参照）、第１光源モジュール５０Ａ（光源５１が実装された第１基板５２Ａ）が正面側から視認されるのを防止することができる。
【０１０９】
次に、第２実施形態の車両用灯具１０Ａについて説明する。
【０１１０】
図１３は、車両用灯具１０Ａの分解斜視図である。
【０１１１】
図１３に示すように、本実施形態の車両用灯具１０Ａは、上記第１実施形態の車両用灯具１０と比べ、さらに、ブラケット８０を備える。また、本実施形態の車両用灯具１０Ａは、第１導光体４０Ａの入光面４２ｃ１（図１３中２箇所）と第１基板５２Ａに実装された第１及び第２光源５１ａ、５１ｂとを互いに位置決めした状態で対向させる第１位置決め構造と、第２導光体４０Ｂの入光面４２ｃ１（図１３中１箇所）と第２基板５２Ｂに実装された第３光源５１ｃとを互いに位置決めした状態で対向させる第２位置決め構造と、を備える。それ以外、上記第１実施形態と同様の構成である。以下、上記第１実施形態との相違点を中心に説明し、同様の構成については同一の符号を付して適宜説明を省略する。
【０１１２】
まず、第１位置決め構造について説明する。
【０１１３】
第１位置決め構造は、主に、第１導光体４０Ａ及び第１基板５２Ａによって構成される。
【０１１４】
まず、第１基板５２Ａについて説明する。
【０１１５】
図１４は、図１３中の矢印ＡＲ１方向から見た第１基板５２Ａを表す。
【０１１６】
図１４に示すように、第１基板５２Ａは、貫通穴Ｈ２、Ｈ３、及び、切欠き部Ｎ１を含む。貫通穴Ｈ２、Ｈ３は、第１基板５２Ａの表面５２Ａ１と裏面５２Ａ２とを貫通している。なお、図１４中、第１及び第２光源５１ａ、５１ｂは、第１基板５２Ａの裏面に実装されているため、点線で描かれている。
【０１１７】
貫通穴Ｈ２は、ブラケット８０に設けられたフック部８１が係合する貫通穴である。貫通穴Ｈ３は、第１基板５２Ａをブラケット８０に固定するためのネジ（図示せず）が挿入されるネジ穴である。切欠き部Ｎ１は、第１導光体４０Ａの第１フック部４４（係合部４４ｃ）が係合する矩形の切欠き部である。切欠き部Ｎ１は、第１導光体４０Ａの第１フック部４４が対向する第１基板５２Ａの端部に形成される（図２１参照）。
【０１１８】
上記構成の第１基板５２Ａは、次のようにしてブラケット８０に取り付けられる。
【０１１９】
図１５は、第１基板５２Ａ及び第２基板５２Ｂが取り付けられた状態のブラケット８０の斜視図である。図１６は、図１５に示すブラケット８０の正面図である。図１７は図１６に示すブラケット８０のＧ−Ｇ断面図、図１８はＨ−Ｈ段面図である。
【０１２０】
図１５〜図１８に示すように、第１基板５２Ａは、ＸＺ平面に対して概ね平行の姿勢でブラケット８０に取り付けられる。
【０１２１】
具体的には、まず、ブラケット８０に設けられたフック部８１（図１７及び図１８参照）を第１基板５２Ａに形成された貫通穴Ｈ２に係合させる。これにより、第１基板５２Ａは、ブラケット８０に仮止めされる。次に、ブラケット８０に形成された貫通穴Ｈ３（図１８参照）に挿入されたネジ（図示せず）をブラケット８０にネジ止めする。これにより、第１基板５２Ａは、ＸＺ平面に対して概ね平行の姿勢でブラケット８０に取り付けられる。
【０１２２】
次に、第１導光体４０Ａ（主に第１フック部４４）について説明する。
【０１２３】
図１９（ａ）は図７（ａ）に示す第１導光体４０ＡのＥ−Ｅ断面図、図１９（ｂ）は図１９（ａ）中の一点鎖線で描いた円内の拡大図である。図２０は、図１９（ｂ）のＰ−Ｐ断面図である。図２１は、図７（ｂ）中の一点鎖線で描いた円内の拡大斜視図である。
【０１２４】
図１９〜図２１に示すように、第１導光体４０Ａは、溝部４４ｂが形成された第１フック部４４を含む。第１フック部４４は、例えば、第２板状導光部４１Ｂの右端部（図２１中の右端部）に設けられる。
【０１２５】
図２１に示すように、第１フック部４４は、後方に向かってＵ字型に開いたフック部である。第１フック部４４に形成された溝部４４ｂは、Ｚ軸方向に延びている。つまり、溝部４４ｂは、第１基板５２Ａ（切欠き部Ｎ１）の厚み方向（Ｙ軸方向）に交差する方向に延びている（貫通している）。
【０１２６】
第１フック部４４は、第１基板５２Ａに形成された切欠き部Ｎ１に係合する係合部４４ｃと、第１基板５２Ａの表面５２Ａ１及び裏面５２Ａ２それぞれが当接する一対の第１当接部４４ｄ、４４ｅと、を含む。
【０１２７】
係合部４４ｃは、第１フック部４４の底部（Ｕ字の底部）に設けられる（図２１参照）。
【０１２８】
一対の第１当接部４４ｄ、４４ｅは、係合部４４ｃのＹ軸方向の両端部からそれぞれ後方に向かって延びている。
【０１２９】
係合部４４ｃ及び一対の第１当接部４４ｄ、４４ｅが、溝部４４ｂを形成する。
【０１３０】
また、第１フック部４４は、一対のガイド面４４ｆ、４４ｇを含む。一対のガイド面４４ｆ、４４ｇは、一対の第１当接部４４ｄ、４４ｅの後端部にそれぞれ設けられる。一対のガイド面４４ｆ、４４ｇは、後方に向かってＶ字型に開いた傾斜面である（図１９（ｂ）参照）。
【０１３１】
切欠き部Ｎ１周囲の第１基板５２Ａ（切欠き部Ｎ１の底部５２Ａ３。図２１参照）は、溝部４４ｂに係合する。その際、切欠き部Ｎ１周囲の第１基板５２Ａ（切欠き部Ｎ１の底部５２Ａ３）は、ガイド面４４ｆ（又はガイド面４４ｇ）に当接し、当該当接したガイド面４４ｆ（又はガイド面４４ｇ）に沿って案内されて溝部４４ｂに係合する。この点については、後述する。
【０１３２】
また、第１フック部４４は、当該第１フック部４４が対向する第１基板５２Ａの端部５２Ａ４、５２Ａ５（切欠き部Ｎ１の両側の端部）が当接する一対の第２当接部４４ｈ、４４ｊを含む（図２１参照）。一対の第２当接部４４ｈ、４４ｊは、係合部４４ｃの上下にそれぞれ設けられる。
【０１３３】
上記構成の第１導光体４０Ａは、第１実施形態で説明したとおり、第１固定部４４及び第２固定部４５をリフレクタ３０に固定することで、リフレクタ３０に取り付けられる（図４（ａ）等参照）。
【０１３４】
次に、第１導光体４０Ａの入光面４２ｃ１と第１及び第２光源５１ａ、５１ｂとを互いに位置決めした状態で対向させる動作の一例について説明する。
【０１３５】
図２２は、第１導光体４０Ａが取り付けられたリフレクタ３０及び第１基板５２Ａが取り付けられたブラケット８０の横断面図（ＸＹ平面による断面図）である。図２２は、ブラケット８０とリフレクタ３０を組み合わせるため、リフレクタ３０を相対的にブラケット８０に近づけている様子を表す。図２２中の矢印ＡＲ２は、リフレクタ３０の相対的な移動方向を表す。
【０１３６】
図２３は、図２２から第１導光体４０Ａの第１フック部４４及び第１基板５２Ａを抜き出して描いた拡大図である。図２３は、第１フック部４４が破線で示す位置から実線で示す位置に移動することを表す。
【０１３７】
図２４は、図２２のＫ−Ｋ断面図である。図２４は、第１フック部４４が破線で示す位置から実線で示す位置に移動することを表す。
【０１３８】
リフレクタ３０を相対的にブラケット８０に近づけると（図２２参照）、図２３に示すように、やがて切欠き部Ｎ１周囲の第１基板５２Ａ（切欠き部Ｎ１の底部５２Ａ３）がガイド面４４ｆ（又はガイド面４４ｇ）に当接する（図２３中、破線で描いた第１フック部４４参照）。そして、さらに、リフレクタ３０を相対的にブラケット８０に近づけると、切欠き部Ｎ１周囲の第１基板５２Ａ（切欠き部Ｎ１の底部５２Ａ３）がガイド面４４ｆ（又はガイド面４４ｇ）に沿って案内されて溝部４４ｂに係合する（図２３中、実線で描いた第１フック部４４参照）。
【０１３９】
その際、第１フック部４４の第１当接部４４ｄ、４４ｅが第１基板５２Ａの表面５２Ａ１及び裏面５２Ａ２にそれぞれ当接する（図２３参照）。これにより、第１導光体４０Ａの入光面４２ｃ１と第１及び第２光源５１ａ、５１ｂとが、Ｙ軸方向に関し、互いに位置決めされる。
【０１４０】
これとともに、図２４に示すように、第１フック部４４が破線で示す位置から移動して当該第１フック部４４の係合部４４ｃが第１基板５２Ａの切欠き部Ｎ１に係合する（図２４中、実線で描いた第１フック部４４参照）。
【０１４１】
その際、切欠き部Ｎ１に係合した係合部４４ｃの上下面４４ｃ１、４４ｃ２がそれぞれ切欠き部Ｎ１に当接する（図２４参照）。これにより、第１導光体４０Ａの入光面４２ｃ１と第１及び第２光源５１ａ、５１ｂとが、Ｚ軸方向に関し、互いに位置決めされる。
【０１４２】
また、その際、第１フック部４４が対向する第１基板５２Ａの端部（切欠き部Ｎ１の両側の端部５２Ａ４、５２Ａ５）が第１フック部４４の第２当接部４４ｈ、４４ｊにそれぞれ当接する（図２４参照）。又は、第１フック部４４が対向する第１基板５２Ａの端部（切欠き部Ｎ１の底部５２Ａ３）が第１フック部４４の係合部４４ｃに当接する。これにより、第１導光体４０Ａの入光面４２ｃ１と第１及び第２光源５１ａ、５１ｂとが、Ｘ軸方向に関し、互いに位置決めされる。
【０１４３】
以上のように、第１導光体４０Ａが取り付けられたリフレクタ３０と第１基板５２Ａが取り付けられたブラケット８０を組み合わせることで、切欠き部Ｎ１周囲の第１基板５２Ａ（切欠き部Ｎ１の底部５２Ａ３）がガイド面４４ｆ（又はガイド面４４ｇ）に当接し、当該ガイド面４４ｆ（又はガイド面４４ｇ）に沿って案内されて溝部４４ｂに係合し、第１フック部４４の少なくとも一部（係合部４４ｃ）が切欠き部Ｎ１に係合し、第１フック部４４が対向する第１基板５２Ａの端部（切欠き部Ｎ１の両側の端部５２Ａ４、５２Ａ５）が第１フック部４４の第２当接部４４ｈ、４４ｊに当接し、かつ、第１導光体４０Ａの入光面４２ｃ１と第１及び第２光源５１ａ、５１ｂとが対向する（図４（ｂ）参照）。
【０１４４】
すなわち、第１導光体４０Ａが取り付けられたリフレクタ３０と第１基板５２Ａが取り付けられたブラケット８０を組み合わせることで、第１導光体４０Ａの入光面４２ｃ１と第１及び第２光源５１ａ、５１ｂとを、ＸＹＺ軸方向に関し、自動的に、互いに位置決めした状態で対向させることができる。つまり、第１導光体４０Ａの入光面４２ｃ１と第１及び第２光源５１ａ、５１ｂとを設計どおりの位置関係で配置することができる。その結果、設計意図どおりの配光を形成することができる。
【０１４５】
次に、第２位置決め構造について説明する。
【０１４６】
第２位置決め構造は、主に、第２導光体４０Ｂ及び第２基板５２Ｂによって構成される。
【０１４７】
まず、第２基板５２Ｂについて説明する。
【０１４８】
図２５は、図１３中の矢印ＡＲ３方向から見た第２基板５２Ｂを表す。
【０１４９】
図２５に示すように、第２基板５２Ｂは、貫通穴Ｈ４〜Ｈ８、及び、切欠き部Ｎ２を含む。貫通穴Ｈ４〜Ｈ８は、第２基板５２Ｂの表面と裏面とを貫通している。なお、図２５中、第３光源５１ｃは、第２基板５２Ｂの裏面に実装されているため、点線で描かれている。
【０１５０】
貫通穴Ｈ４〜Ｈ５は、ブラケット８０に設けられたフック部８２（図１５中２つを例示）が係合する貫通穴である。貫通穴Ｈ６〜Ｈ８は、ブラケット８０に設けられた熱かしめピン８３（図１５中３つを例示）が挿入される熱かしめピン用穴である。切欠き部Ｎ２は、第２導光体４０Ｂの第２フック部４７が係合する矩形の切欠き部である。切欠き部Ｎ２は、第２導光体４０Ｂの第２フック部４７が対向する第２基板５２Ｂの端部に形成される（図３１参照）。
【０１５１】
上記構成の第２基板５２Ｂは、次のようにしてブラケット８０に取り付けられる。
【０１５２】
図２６は、図１６に示すブラケット８０のＭ−Ｍ断面図である。
【０１５３】
図１６、図２６に示すように、第２基板５２Ｂは、ＸＹ平面に対して概ね平行の姿勢でブラケット８０に取り付けられる。
【０１５４】
具体的には、まず、ブラケット８０に設けられたフック部８２を第２基板５２Ｂに形成された貫通穴Ｈ４、Ｈ５に係合させ（図１５及び図２６参照）、かつ、ブラケット８０に設けられた熱かしめピン８３を第２基板５２Ｂに形成された熱かしめピン用穴Ｈ６〜Ｈ８に挿入する（図１５参照）。これにより、第２基板５２Ｂは、ブラケット８０に仮止めされる。次に、ブラケット８０に形成された熱かしめピン用穴Ｈ６〜Ｈ８に挿入された熱かしめピン８３の先端に熱を加えて当該熱かしめピン８３をかしめる。これにより、第２基板５２Ｂは、ＸＹ平面に対して概ね平行の姿勢でブラケット８０に取り付けられる。
【０１５５】
次に、第２導光体４０Ｂ（主に第２フック部４７）について説明する。
【０１５６】
図２７（ａ）は図１０に示す第２導光体４０ＢのＬ−Ｌ断面図、図２７（ｂ）は図２７（ａ）中の一点鎖線で描いた円内の拡大図である。図２８は、図２７（ｂ）のＱ−Ｑ断面図である。
【０１５７】
図２７に示すように、第２導光体４０Ｂは、溝部４７ｂが形成された第２フック部４７を含む。第２フック部４７は、例えば、第３棒状導光部４２Ｃの上端部に設けられる。
【０１５８】
第２フック部４７は、後方に向かってＵ字型に開いたフック部である。第２フック部４７に形成された溝部４７ｂは、Ｙ軸方向に延びている。つまり、溝部４７ｂは、第２基板５２Ｂ（切欠き部Ｎ２）の厚み方向（Ｚ軸方向）に交差する方向に延びている（貫通している）。
【０１５９】
第２フック部４７は、第２フック部４７が対向する第１基板５２Ａの端部（切欠き部Ｎ２の底部５２Ｂ３。図２５参照）に当接する当接部４７ｃと、第２基板５２Ｂの表面５２Ｂ１及び裏面５２Ｂ２それぞれが当接する一対の第１当接部４７ｄ、４７ｅと、を含む。
【０１６０】
当接部４７ｃは、第２フック部４７の底部（Ｕ字の底部）に設けられる（図２７（ｂ）参照）。
【０１６１】
一対の第１当接部４７ｄ、４７ｅは、当接部４７ｃのＺ軸方向の両端部からそれぞれ後方に向かって延びている。
【０１６２】
当接部４７ｃ及び一対の第１当接部４７ｄ、４７ｅが、溝部４７ｂを形成する。
【０１６３】
また、第２フック部４７は、ガイド面４７ｆを含む。ガイド面４７ｆは、第１当接部４７ｄの後端部に設けられる。ガイド面４７ｆは、後方斜め上方に傾斜した傾斜面である。
【０１６４】
切欠き部Ｎ１周囲の第１基板５２Ａ（切欠き部Ｎ２の底部５２Ｂ３。図２５参照）は、溝部４７ｂに係合する。その際、切欠き部Ｎ２周囲の第２基板５２Ｂ（切欠き部Ｎ２の底部５２Ｂ３）は、ガイド面４７ｆに当接し、当該当接したガイド面４７ｆに沿って案内されて溝部４７ｂに係合する。この点については、後述する。
【０１６５】
上記構成の第２導光体４０Ｂは、第１実施形態で説明したとおり、第３固定部４７及び第４固定部（図示せず）をリフレクタ３０に固定することで、リフレクタ３０に取り付けられる（図２等参照）。
【０１６６】
次に、第２導光体４０Ｂの入光面４２ｃ１と第３光源５１ｃとを互いに位置決めした状態で対向させる動作の一例について説明する。
【０１６７】
図２９は、第２導光体４０Ｂが取り付けられたリフレクタ３０及び第２基板５２Ｂが取り付けられたブラケット８０の縦断面図（ＸＺ平面による断面図）である。図２９は、ブラケット８０とリフレクタ３０を組み合わせるため、リフレクタ３０を相対的にブラケット８０に近づけている様子を表す。図２９中の矢印ＡＲ４は、リフレクタ３０の相対的な移動方向を表す。
【０１６８】
図３０は、図２９から第２導光体４０Ｂの第２フック部４７及び第２基板５２Ｂを抜き出して描いた拡大図である。図３０は、第２フック部４７が破線で示す位置から実線で示す位置に移動することを表す。
【０１６９】
図３１は、図２９のＮ−Ｎ断面図である。図３１は、第２フック部４７が破線で示す位置から実線で示す位置に移動することを表す。
【０１７０】
リフレクタ３０を相対的にブラケット８０に近づけると（図２９参照）、図３０に示すように、やがて切欠き部Ｎ２周囲の第２基板５２Ｂ（切欠き部Ｎ２の底部５２Ｂ３）がガイド面４７ｆに当接する（図３０中、破線で描いた第２フック部４７参照）。そして、さらに、リフレクタ３０を相対的にブラケット８０に近づけると、切欠き部Ｎ２周囲の第２基板５２Ｂ（切欠き部Ｎ２の底部５２Ｂ３）がガイド面４７ｆに沿って案内されて溝部４７ｂに係合する（図３０中、実線で描いた第２フック部４７参照）。
【０１７１】
その際、第２フック部４７の第１当接部４７ｄ、４７ｅが第２基板５２Ｂの表面５２Ｂ１及び裏面５２Ｂ２にそれぞれ当接する（図３０参照）。これにより、第２導光体４０Ｂの入光面４２ｃ１と第３光源５１ｃとが、Ｚ軸方向に関し、互いに位置決めされる。
【０１７２】
これとともに、図３１に示すように、第２フック部４７が破線で示す位置から移動して当該第２フック部４７が第２基板５２Ｂの切欠き部Ｎ２に係合する（図３１中、実線で描いた第２フック部４７参照）。
【０１７３】
その際、切欠き部Ｎ２に係合した第２フック部４７の左右両面４７ｃ１、４７ｃ２がそれぞれ切欠き部Ｎ２に当接する（図３１参照）。これにより、第２導光体４０Ｂの入光面４２ｃ１と第３光源５１ｃとが、Ｙ軸方向に関し、互いに位置決めされる。
【０１７４】
また、その際、第２フック部４７の当接部４７ｃが第２基板５２Ｂに形成された切欠き部Ｎ２の底部５２Ｂ３に当接する（図３１参照）。これにより、第２導光体４０Ｂの入光面４２ｃ１と第３光源５１ｃとが、Ｘ軸方向に関し、互いに位置決めされる。
【０１７５】
以上のように、第２導光体４０Ｂが取り付けられたリフレクタ３０を第２基板５２Ｂが取り付けられたブラケット８０を組み合わせることで、切欠き部Ｎ２周囲の第２基板５２Ｂ（切欠き部Ｎ２の底部５２Ｂ３）がガイド面４７ｆに当接し、当該ガイド面４７ｆに沿って案内されて溝部４７ｂに係合し、第２フック部４７が切欠き部Ｎ２に係合し、第２フック部４７が対向する第２基板５２Ｂの端部（切欠き部Ｎ２の底部５２Ｂ３）が第２フック部４７の当接部４７ｃに当接し、かつ、第２導光体４０Ｂの入光面４２ｃ１と第３光源５１ｃとが対向する（図３２参照）。図３２は、第２導光体４０Ｂが取り付けられたリフレクタ３０と第２基板５２Ｂが取り付けられたブラケット８０と組み合わせた状態の縦断面図である。
【０１７６】
すなわち、第２導光体４０Ｂが取り付けられたリフレクタ３０と第２基板５２Ｂが取り付けられたブラケット８０を組み合わせることで、第２導光体４０Ｂの入光面４２ｃ１と第３光源５１ｃとを、ＸＹＺ軸方向に関し、自動的に、互いに位置決めした状態で対向させることができる。つまり、第２導光体４０Ｂの入光面４２ｃ１と第３光源５１ｃとを設計どおりの位置関係で配置することができる。その結果、設計意図どおりの配光を形成することができる。
【０１７７】
以上説明したように、本実施形態によれば、導光体支持部材を用いることなく、第１導光体４０Ａの入光面４２ｃ１と第１及び第２光源５１ａ、５１ｂとを互いに位置決めした状態で対向させることができる。
【０１７８】
これは、第１導光体４０Ａ及び第１基板５２Ａは、切欠き部Ｎ１周囲の第１基板５２Ａ（切欠き部Ｎ１の底部５２Ａ３）が溝部４４ｂに係合し（図２３参照）、第１フック部４４の少なくとも一部（係合部４４ｃ）が切欠き部Ｎ１に係合し（図２４参照）、第１フック部４４が対向する第１基板５２Ａの端部（切欠き部Ｎ１の両側の端部５２Ａ４、５２Ａ５）が第１フック部４４に当接し（図２４参照）、かつ、第１導光体４０Ａの入光面４２ｃ１と第１及び第２光源５１ａ、５１ｂとが対向した状態（図４（ｂ）等参照）で配置されることによるものである。
【０１７９】
また、本実施形態によれば、導光体支持部材を用いることなく、第２導光体４０Ｂの入光面４２ｃ１と第３光源５１ｃとを互いに位置決めした状態で対向させることができる。
【０１８０】
これは、第２導光体４０Ｂ及び第２基板５２Ｂは、切欠き部Ｎ２周囲の第２基板５２Ｂ（切欠き部Ｎ２の底部５２Ｂ３）が溝部４７ｂに係合し（図３０参照）、第２フック部４７が切欠き部Ｎ２に係合し（図３１参照）、第２フック部４７が対向する第２基板５２Ｂの端部（切欠き部Ｎ２の底部５２Ｂ３）が第２フック部４７の当接部４７ｃに当接し（図３１参照）、かつ、第２導光体４０Ｂの入光面４２ｃ１と第３光源５１ｃとが対向した状態（図３２参照）で配置されることによるものである。
【０１８１】
また、本実施形態によれば、第１導光体４０Ａが取り付けられたリフレクタ３０と第１基板５２Ａが取り付けられたブラケット８０を組み合わせることで、第１導光体４０Ａの入光面４２ｃ１と第１及び第２光源５１ａ、５１ｂとを、ＸＹＺ軸方向に関し、自動的に、互いに位置決めした状態で対向させることができる。つまり、第１導光体４０Ａの入光面４２ｃ１と第１及び第２光源５１ａ、５１ｂとを設計どおりの位置関係で配置することができる。その結果、設計意図どおりの配光を形成することができる。
【０１８２】
これは、第１導光体４０Ａが取り付けられたリフレクタ３０と第１基板５２Ａが取り付けられたブラケット８０を組み合わせる際、切欠き部Ｎ１周囲の第１基板５２Ａ（切欠き部Ｎ１の底部５２Ａ３）は、ガイド面４４ｆ（又はガイド面４４ｇ）に当接し、当該当接したガイド面４４ｆ（又はガイド面４４ｇ）に沿って案内されて溝部４４ｂに係合することによるものである。
【０１８３】
また、本実施形態によれば、第２導光体４０Ｂが取り付けられたリフレクタ３０と第２基板５２Ｂが取り付けられたブラケット８０を組み合わせることで、第２導光体４０Ｂの入光面４２ｃ１と第３光源５１ｃとを、ＸＹＺ軸方向に関し、自動的に、互いに位置決めした状態で対向させることができる。つまり、第２導光体４０Ｂの入光面４２ｃ１と第３光源５１ｃとを設計どおりの位置関係で配置することができる。その結果、設計意図どおりの配光を形成することができる。
【０１８４】
これは、第２導光体４０Ｂが取り付けられたリフレクタ３０と第２基板５２Ｂが取り付けられたブラケット８０を組み合わせる際、切欠き部Ｎ２周囲の第２基板５２Ｂ（切欠き部Ｎ２の底部５２Ｂ３）は、ガイド面４７ｆに当接し、当該当接したガイド面４７ｆに沿って案内されて溝部４７ｂに係合することによるものである。
【０１８５】
また、本実施形態によれば、第１導光体４０Ａと第１基板５２Ａ（第２導光体４０Ｂと第２基板５２Ｂも同様）がリジッド（強固）に固定されないため、車両用灯具１０Ａが搭載された車両が走行中に振動したとしても（例えば、上下のピッチングが発生したとしても）、車両用灯具１０Ａ内部に発生する応力を分散することができる。
【０１８６】
次に、変形例について説明する。
【０１８７】
上記各実施形態では、本発明の車両用灯具をテールランプに適用した例について説明したが、これに限らない。例えば、ストップッランプ、ポジションランプ、ターンランプ、バックランプ、ＤＲＬ（Daytime Running Lamps）ランプにも本発明の車両用灯具を適用してもよい。
【０１８８】
また、上記各実施形態では、第１導光体４０Ａとして、板状導光部４１Ａ、４１Ｃを用いた例について説明したが、これに限らない。例えば、第１導光体４０Ａとして、板状導光部４１Ａ、４１Ｃの少なくとも一方を省略したものを用いてもよい。同様に、第２導光体４０Ｂとして、板状導光部４１Ｄ、４１Ｅの少なくとも一方を省略したものを用いてもよい。また、第１導光体４０Ａとして、板状導光部４１を省略し棒状導光部４２のみを用いてもよいし、逆に、棒状導光部４２を省略し板状導光部４１のみ用いてもよい。同様に、第２導光体４０Ｂとして、板状導光部４１を省略し棒状導光部４２のみを用いてもよいし、逆に、棒状導光部４２を省略し板状導光部４１のみ用いてもよい。
【０１８９】
上記各実施形態で示した各数値は全て例示であり、これと異なる適宜の数値を用いることができるのは無論である。
【０１９０】
上記各実施形態はあらゆる点で単なる例示にすぎない。上記各実施形態の記載によって本発明は限定的に解釈されるものではない。本発明はその精神または主要な特徴から逸脱することなく他の様々な形で実施することができる。
【符号の説明】
【０１９１】
１０…車両用灯具、３０…リフレクタ、３１…底部、３１ａ…底部反射面、３２…壁部、３２ａ…開口端部、３２ａ１…曲線部、３２ｂ…ローレット、３２ｂ１…ローレット反射面、３３…延長部、３４…爪部、４０Ａ…第１導光体、４０Ｂ…第２導光体、４１（４１Ａ〜４１Ｅ）…板状導光部、４１Ａｃ〜４１Ｅｃ…一端縁、４１Ａｄ〜４１Ｅｄ…他端縁、４１ａ…前面、４１ｂ…後面、４２（４２Ａ〜４２Ｃ）…棒状導光部、４２ａ…前面、４２ｂ…後面、４２ｂ１…側面、４２ｂ２…最後面、４３…延長終端部、４３ａ…面、４３ｂ…面、４４…第１固定部（第１フック部）、４４ａ…第１係合部、４４ｂ…溝部、４５…第２固定部、４５ａ…第２係合部、４６…リブ、４７…第３固定部（第２フック部）、５０Ａ…第１光源モジュール、５０Ｂ…第２光源モジュール、５１…光源、５２Ａ…第１基板、５２Ｂ…第２基板、５３Ａ…貫通穴、６０…インナーレンズ、６１…レンズ本体、６２…脚部、８０…ブラケット、ＬＣ１…第１構造物、ＬＣ２…第２構造物、Ｓ１…Ｔ字状空間、Ｓ１ａ…第１空間、Ｓ１ｂ…第２空間、Ｓ２…空間、Ｓ３…空間、θ…角度
【図１】
2020155388.tif 000003
【図２】
2020155388.tif 000004
【図３】
2020155388.tif 000005
【図４】
2020155388.tif 000006
【図５】
2020155388.tif 000007
【図６】
2020155388.tif 000008
【図７】
2020155388.tif 000009
【図８】
2020155388.tif 000010
【図９】
2020155388.tif 000011
【図１０】
2020155388.tif 000012
【図１１】
2020155388.tif 000013
【図１２】
2020155388.tif 000014
【図１３】
2020155388.tif 000015
【図１４】
2020155388.tif 000016
【図１５】
2020155388.tif 000017
【図１６】
2020155388.tif 000018
【図１７】
2020155388.tif 000019
【図１８】
2020155388.tif 000020
【図１９】
2020155388.tif 000021
【図２０】
2020155388.tif 000022
【図２１】
2020155388.tif 000023
【図２２】
2020155388.tif 000024
【図２３】
2020155388.tif 000025
【図２４】
2020155388.tif 000026
【図２５】
2020155388.tif 000027
【図２６】
2020155388.tif 000028
【図２７】
2020155388.tif 000029
【図２８】
2020155388.tif 000030
【図２９】
2020155388.tif 000031
【図３０】
2020155388.tif 000032
【図３１】
2020155388.tif 000033
【図３２】
2020155388.tif 000034